【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
積み重ねた配置形態にある複数の拡声器を相互連結するため、一拡声器は他の拡声器の索具側フレームと相互連結可能であり、相互連結した各拡声器は、左右の索具側フレームを装着できる複数の側部（sides）を有する、拡声器用の索具側フレームであって、該索具側フレームは、
複数の傾斜角度選択ピン孔、及び傾斜調節リンク収納用（stowing）溝を有するフレーム構造と；
少なくとも１つの留めピンと；
垂直方向に延在する各種長さの複数の傾斜角度スロットを有する上方向に延長可能な傾斜調節リンクであって、前記各傾斜角度スロットは下端部を有し、前記傾斜調節リンクは、結合用（linking）位置と複数の上昇した傾斜角度位置の間の前記傾斜調節リンク収納用溝中で垂直方向に移動可能であり、前記傾斜調節リンクの前記各上昇した傾斜角度位置は、前記フレーム構造に関して（relative to）、隣接する拡声器の索具側フレームのフレーム構造の傾斜角度と連携している、前記傾斜調節リンクと；
を備え、
前記結合用位置では、
前記傾斜調節リンクは、直上の拡声器の索具側フレームのフレーム構造にピン留めするため、前記フレーム構造から垂直方向に延長され、
前記フレーム構造の各傾斜角度選択ピン孔は、前記複数の傾斜角度スロットのうちの１つのスロットの下端部と整列して、該下端部上に種々の長さで配置され、これにより、前記少なくとも１つの留めピンのうちの１つの留めピンは、前記複数の傾斜角度選択ピン孔のうちの何れかの選択された１つのピン孔及び前記複数の傾斜角度スロットのうちの１つのスロット中に挿入でき、
前記各上昇した傾斜角度位置では、
前記傾斜調節リンクは、前記結合用位置中の該傾斜調節リンクの配置上を上昇し、
前記少なくとも１つの留めピンのうちの１つの留めピンは、前記複数の傾斜角度選択ピン孔のうちの選択された１つのピン孔及び前記複数の傾斜角度スロットのうちの１つのスロット中に挿入され、前記複数の傾斜角度スロットのうちの１つのスロットの下端部に隣接して、前記傾斜調節リンクの更なる上方向への移動を防止し、
こうして、前記傾斜角度調節リンクを、前記結合用位置において、直上にある拡声器の索具側フレームのフレーム構造にピン留めし、前記少なくとも１つの留めピンのうちの１つの留めピンを、前記複数の傾斜角度選択ピン孔のうちの選択された１つのピン孔及び前記複数の傾斜角度スロットのうちの１つのスロット中に挿入し、次いで、前記傾斜角度調節リンクを前記結合用位置から前記複数の上昇した傾斜角度位置のうちの１つの位置まで上げることにより、隣接する拡声器の索具側フレームのフレーム構造が、前記フレーム構造に関して所望の傾斜角度に設定される、前記拡声器用索具側フレーム。
【請求項２】
前記フレーム構造は、前方頂部コーナー領域、該前方頂部コーナー領域とは垂直方向反対側の前方底部コーナー領域を含み、前記傾斜調節リンク収納用溝は前記前方頂部コーナー領域に配置され、前記前方底部コーナー領域は傾斜調節リンク連結用ピン孔を備え、
前記傾斜調節リンクは、頂部ピン孔を備えると共に、収納（stowed）位置と前記結合用位置の間の前記傾斜調節リンク収納用溝内で垂直方向に移動可能であり、前記結合用位置は前記収納位置の上にあり、
前記結合用位置では、前記頂部ピン孔は前記傾斜調節リンクを直上の拡声器にピン留めするため、該直上の拡声器の索具側フレームのフレーム構造における前方底部コーナー領域の前記傾斜調節リンク連結用（interlocking）ピン孔と整列される請求項１に記載の拡声器用索具側フレーム。
【請求項３】
前記結合用位置において、底部留めピンが、前記傾斜調節リンクの頂部ピン孔及び隣接する拡声器の索具側フレームのフレーム構造の前方底部コーナー領域における傾斜調節リンク連結用ピン孔に挿入される請求項２に記載の拡声器用索具側フレーム。
【請求項４】
前記フレーム構造の前記前方頂部コーナー領域が、複数の傾斜角度留めピン孔を備え、
前記傾斜調節リンクが複数の傾斜角度ピン孔を有し、
前記複数の上昇した傾斜角度位置のうちの何れかの選択された１つの位置において、前記複数の傾斜角度ピン孔のうちの１つのピン孔及び前記複数の傾斜角度留めピン孔のうちの１つの留めピン孔への前記少なくとも１つの留めピンのうちの１つの留めピンの挿入によって前記傾斜調節リンクが前記上昇した傾斜角度位置に留まるように、前記複数の傾斜角度ピン孔のうちの１つのピン孔が前記複数の傾斜角度留めピン孔のうちの１つのピン孔と整列される請求項２に記載の拡声器用索具側フレーム。
【請求項５】
前記傾斜調節リンクが、丸い頂表面を含む頂端部を有し、
前記フレーム構造の前方底部コーナー領域が、前記傾斜調節リンク収納用溝とは反対側に傾斜調節リンク受取り用溝を含み、前記傾斜調節リンク受取り用溝は、前記傾斜調節リンクの丸い頂表面に対応する凹面の傾斜調節リンク案内表面を有し、これにより前記傾斜調節リンクの頂端部が、直上にある拡声器の索具側フレームのフレーム構造における傾斜調節リンク受取り用溝内まで持ち上げた時、前記頂表面が前記傾斜調節リンク案内表面と係合して、前記傾斜調節リンクを前記結合用位置に案内する請求項２に記載の拡声器用索具側フレーム。
【請求項６】
前記収納位置において、前記傾斜調節リンクが前記傾斜調節リンク収納用溝中に十分に引き込まれる（retract）請求項２に記載の拡声器用索具側フレーム。
【請求項７】
前記収納位置において、前記フレーム構造の前方頂部コーナー領域における傾斜角度選択ピン孔のうちの１つのピン孔が、前記傾斜調節リンクを前記収納位置にピン留めするため、前記傾斜調節リンクの頂部ピン孔と整列される請求項２に記載の拡声器用索具側フレーム。
【請求項８】
前記フレーム構造が、内側プレート及び外側プレート；及び該内側プレートと外側プレートの間に夾まれた傾斜調節リンクフレーム部材を含む請求項２に記載の拡声器用索具側フレーム。
【請求項９】
前記外側プレートが垂直方向に延在する前方案内スロットを含み、
前記傾斜調節リンクが握りノブ取付け孔を備え、
前記握りノブ取付け孔に取付けられて、前記前方案内スロット中に滑動可能に受け取られる前方握りノブであって、該前方握りノブは前記外側プレートから外向きに延在し、手で握ることができ、これにより、該前方握りノブを前記前方案内スロット内で動かすと、前記傾斜調節リンクは前記傾斜調節リンク収納用溝内で動く、前記前方握りノブを更に備える請求項８に記載の拡声器用索具側フレーム。
【請求項１０】
前記フレーム構造は頂部後方コーナー領域及び底部後方コーナー領域を有し、該頂部後方コーナー領域は枢軸リンク収納用溝及び枢軸リンク留めピン孔を備え、該底部後方コーナー領域は枢軸リンク連結用ピン孔を有し、
上部ピン孔及び下部ピン孔を有する上方向に延長可能な枢軸リンクであって、該枢軸リンクは引込み（retracted）位置と上昇した相互連結用位置の間の前記枢軸リンク収納用溝内で垂直方向に移動可能であり、前記引込み位置では該枢軸リンクは前記枢軸リンク収納用溝内で引き込まれ、前記相互連結用位置では、
（ａ）前記上部ピン孔は、前記枢軸リンクを直上の拡声器にピン留めするための該直上の拡声器の索具側フレームのフレーム構造における底部後方コーナー領域の前記枢軸リンク連結用ピン孔と整列され、
（ｂ）前記下部ピン孔は、前記枢軸リンクを前記相互連結用位置内で前記フレーム構造にピン留めするため、前記枢軸リンク留めピン孔と整列される、前記枢軸リンクを更に備える請求項１に記載の拡声器用索具側フレーム。
【請求項１１】
前記枢軸リンクが凸面の頂表面を有し、
前記底部後方コーナー領域が前記枢軸リンク収納用溝とは反対側に配置された枢軸リンク受取り用溝を有し、該枢軸リンク受取り用溝は前記枢軸リンクの凸面頂表面に対応する凹面の枢軸リンク案内表面を有し、
これにより前記枢軸リンクを前記枢軸リンク受取り用溝内まで持ち上げた時、前記頂表面が前記枢軸リンク案内表面と係合して、前記枢軸リンクを前記相互結合用位置に案内する請求項１０に記載の拡声器用索具側フレーム。
【請求項１２】
前記引込み位置において、前記枢軸リンクは前記枢軸リンク収納用溝内に十分に引き込まれる請求項１０に記載の拡声器用索具側フレーム。
【請求項１３】
前記引込み位置において、前記フレーム構造の頂部裏面コーナー領域における枢軸リンク留めピン孔及び前記枢軸リンクの上部ピン孔が、前記枢軸リンクを前記引込み位置にピン留めするため整列される請求項１０に記載の拡声器用索具側フレーム。
【請求項１４】
前記フレーム構造が内側プレート及び外側プレート；傾斜調節リンクフレーム部材；及び枢軸リンクフレーム部材を含み、該傾斜調節リンクフレーム部材及び枢軸リンクフレーム部材は前記内側プレートと外側プレートの間に挟まれる請求項１０に記載の拡声器用索具側フレーム。
【請求項１５】
前記外側プレートは垂直方向に延在する後方案内スロットを含み、
前記枢軸リンクは握りノブ取付け孔を含み、
前記握りノブ取付け孔に取り付けられて、前記後方案内スロット中に滑動可能に受け取られる後方握りノブであって、該後方握りノブは前記外側プレートから外向きに延在し、手で握ることができ、これにより、該後方握りノブを前記後方案内スロット内で動かすと、前記枢軸リンクは前記枢軸リンク収納用溝内で動く、前記後方握りノブを更に備える請求項８に記載の拡声器用索具側フレーム。
【請求項１６】
前記フレーム構造が、一定間隔で配置された１対の頂部ロケータータブ及び一定間隔で配置された１対の底部ロケータータブを含み、頂部ロケータータブは底部ロケータータブよりも短かい距離で隔離され、これにより前記フレーム構造は、積み重ねた配置形態にある他の一拡声器の側部フレームのフレーム構造の頂部に配置されると、前記頂部ロケータータブの内部にぴったり収まる請求項１に記載の拡声器用索具側フレーム。